(57)【要約】【課題】各サイト内で収集したプラントデータを、遠隔地から複数サイト同時に参照可能とし、複数サイトのデータの集計、解析、比較等のデータ処理の効率化を可能としたデータ処理システムを提供する。【解決手段】各種プラントが設置された複数のサイトのそれぞれに設けられた、前記プラントに関するデータを蓄積したデータベースを備えたデータサーバと、ユーザが所望のデータ処理要求を行うクライアント端末と、前記クライアント端末からの要求に従い、要求されたデータを、前記複数のサイトの内、該当するサイトのデータサーバから取得し、これらのデータを要求されたデータ統合形式に統合処理して、その処理データを前記クライアント端末に送信する手段を備えた統合サーバとを、通信ネットワークを介して接続する。【選択図】　図１
2004102448.tif 000002
【特許請求の範囲】
【請求項１】
各種プラントが設置された複数のサイトのそれぞれに設けられた、前記プラントに関するデータを蓄積したデータベースを備えたデータサーバと、
ユーザが所望のデータ処理要求を行うクライアント端末と、
前記クライアント端末からの要求に従い、要求されたデータを、前記複数のサイトの内、該当するサイトのデータサーバから取得し、これらのデータを要求されたデータ統合形式に統合処理して、その処理データを前記クライアント端末に送信する手段を備えた統合サーバとが、通信ネットワークを介して接続されていることを特徴とするデータ処理システム。
【請求項２】
前記データサーバに備えられたデータベースが、定周期のプラントデータを格納した第１のデータベース、あるいは非定周期のプラントデータを格納した第２のデータベースの少なくともいずれかであることを特徴とする請求項１に記載のデータ処理システム。
【請求項３】
前記データ統合形式が、帳表形式、時間と値の相関関係グラフ形式、値と値の相関関係グラフ形式、系統図の状態値表示形式のいずれかであることを特徴とする請求項１又は請求項２に記載のデータ処理システム。
【請求項４】
各種プラントが設置された複数のサイトのそれぞれに設けられたデータサーバと、ユーザが所望のデータ処理要求を行うクライアント端末と、前記クライアント端末からの要求に従ってデータ処理を行う統合サーバとが通信ネットワークを介して接続され、
前記統合サーバにおいて、
前記クライアント端末からのデータ処理要求を受信するステップと、
前記クライアント端末から取得要求がなされたデータを、前記複数のサイトの内、該当するサイトのデータサーバから収集するステップと、
収集したデータを、前記クライアント端末から要求されたデータ統合形式に統合処理するステップと、
その処理データを前記クライアント端末に送信するステップとを有することを特徴とするデータ処理方法。
【請求項５】
各種プラントが設置された複数のサイトのそれぞれに設けられたデータサーバと、ユーザが所望のデータ処理要求を行うクライアント端末と、前記クライアント端末からの要求に従ってデータ処理を行う統合サーバとが通信ネットワークを介して接続され、
前記統合サーバに備えられるコンピュータプログラムが、
コンピュータを、
前記クライアント端末からのデータ処理要求を受信する受信手段と、
前記クライアント端末から取得要求がなされたデータを、前記複数のサイトの内、該当するサイトのデータサーバから収集するデータ収集処理手段と、
収集したデータを、前記クライアント端末から要求されたデータ統合形式に統合処理するデータ統合処理手段と、
その処理データを前記クライアント端末に送信する送信手段として機能させるためのプログラムであることを特徴とするデータ処理用コンピュータプログラム。
【発明の詳細な説明】
【０００１】
【発明の属する技術分野】
本発明は、発電所等のサイト毎に蓄積されているプラントデータの取得、集計、解析、比較等のデータ処理の効率化を図ったデータ処理システム及び方法に関する。
【０００２】
【従来の技術】
発電所等のプラントには多種多様の設備があり、それらの設備の運転状態を把握するために、プラントの各部に多くのセンサが取り付けられている。これら各センサからのセンサ信号は、プラントの運転を制御する制御用計算機に取り込まれ、制御用データとして即時的に利用される一方で、制御用計算機あるいはその他のデータ収集装置からプラントデータとしてデータサーバに定期的に送信され、履歴データとして蓄積されている。また、プラントデータは業務端末からマニュアル入力で入力される場合もあり、このようなマニュアル入力されたデータも履歴データとして蓄積されている。
【０００３】
このような履歴データを蓄積したデータサーバは、従来、発電所等のサイト毎に設置されており、蓄積された履歴データの活用もそのサイト内に限定されていた。このようなデータサーバへサイト外からアクセスする必要が生じた場合には、クライアント端末のケーブルを延長して、遠隔地から参照することも行われていたが、基本的にサイト外からアクセスすることは不可能であった。
【０００４】
また、サイト毎のプラントデータは、定期的に集計・解析してサイト間でプラント状態の比較を行う必要があるが、このような業務は、中央管理センターの技術者が行うのが通例である。従来、中央管理センターの技術者がこの業務を行うためには、必要なデータを各サイトから取り寄せて中央管理センターにおいて解析を行うか、各サイトに順次出向き、サイト内の業務端末上で各データサーバに蓄積されたプラントデータを用いて解析を行い、最終的に中央管理センターで全てのサイト間のプラント状態の比較を行っていた。
【０００５】
【発明が解決しようとする課題】
しかしながら、上述したような従来技術によるプラントデータの取扱いには、次のような問題点があった。すなわち、各サイト内で蓄積したプラントデータを、中央管理センターの技術者が解析するという作業の流れであるため、データ受け渡しのために、サイト側においても中央管理センター側においても負担が大きい上、作業をタイムリーに進めることが困難であった。
【０００６】
すなわち、サイト内に設けられたデータサーバにプラントデータが保存されるため、データの解析については、中央管理センターの技術者が実施するにしても、データ取得や取得したデータの中央管理センターへの輸送等については、サイト内の技術者の負担となっていた。また、中央管理センターの技術者においても、遠隔地にあるサイト内のデータサーバに直接アクセスすることができないため、各サイトまで出向くか、あるいはデータを取り寄せる必要があった。さらに、中央管理センターの技術者が各サイトまで出向いたとしても、サイト内の業務端末上でプラントデータの詳細な解析を行うことができないため、データを持ち帰って解析を行わなければならず、解析結果を提供するまでに長時間経過してしまうこともあった。
【０００７】
このような問題に対する解決策として、中央管理センター側にデータサーバを設置し、各サイト内で収集したプラントデータを通信ネットワークを介して中央管理センター側のデータサーバに送信することも考えられる。しかしながら、複数のサイトからプラントデータが同時に中央管理センター側に送信された場合、伝送が集中してデータサーバやネットワークが高負荷になり、動作異常や通信異常を生じる可能性がある。
【０００８】
本発明は、上記のような従来技術の問題点を解決するために提案されたものであり、その目的は、各サイト内で収集したプラントデータを、遠隔地から複数サイト同時に参照可能とし、複数サイトのデータの集計、解析、比較等のデータ処理の効率化を可能としたデータ処理システム、方法及びデータ処理用コンピュータプログラムを提供することにある。
【０００９】
【課題を解決するための手段】
上記の目的を達成するため、請求項１に記載のデータ処理システムは、各種プラントが設置された複数のサイトのそれぞれに設けられた、前記プラントに関するデータを蓄積したデータベースを備えたデータサーバと、ユーザが所望のデータ処理要求を行うクライアント端末と、前記クライアント端末からの要求に従い、要求されたデータを、前記複数のサイトの内、該当するサイトのデータサーバから取得し、これらのデータを要求されたデータ統合形式に統合処理して、その処理データを前記クライアント端末に送信する手段を備えた統合サーバとが、通信ネットワークを介して接続されていることを特徴とする。
【００１０】
請求項４に記載の発明は、請求項１に記載の発明を方法の観点から捉えたものであって、各種プラントが設置された複数のサイトのそれぞれに設けられたデータサーバと、ユーザが所望のデータ処理要求を行うクライアント端末と、前記クライアント端末からの要求に従ってデータ処理を行う統合サーバとが通信ネットワークを介して接続され、前記統合サーバにおいて、前記クライアント端末からのデータ処理要求を受信するステップと、前記クライアント端末から取得要求がなされたデータを、前記複数のサイトの内、該当するサイトのデータサーバから収集するステップと、収集したデータを、前記クライアント端末から要求されたデータ統合形式に統合処理するステップと、その処理データを前記クライアント端末に送信するステップとを有することを特徴とする。
【００１１】
請求項５に記載の発明は、請求項４に記載の発明をコンピュータプログラムの観点から捉えたものであって、各種プラントが設置された複数のサイトのそれぞれに設けられたデータサーバと、ユーザが所望のデータ処理要求を行うクライアント端末と、前記クライアント端末からの要求に従ってデータ処理を行う統合サーバとが通信ネットワークを介して接続され、前記統合サーバに備えられるコンピュータプログラムが、コンピュータを、前記クライアント端末からのデータ処理要求を受信する受信手段と、前記クライアント端末から取得要求がなされたデータを、前記複数のサイトの内、該当するサイトのデータサーバから収集するデータ収集処理手段と、収集したデータを、前記クライアント端末から要求されたデータ統合形式に統合処理するデータ統合処理手段と、その処理データを前記クライアント端末に送信する送信手段として機能させるためのプログラムであることを特徴とする。
【００１２】
上記のような構成を有する請求項１、請求項４あるいは請求項５の発明によれば、ユーザがクライアント端末から複数サイトのプラントデータの取り出し要求をすると、統合サーバはその要求を受付け、要求されたプラントデータが存在する該当サイトのデータサーバに問い合わせる。統合サーバから問い合わせのあったサイトのデータサーバは、該当するプラントデータを取り出して統合サーバに返信する。統合サーバは、全ての問い合わせを行った複数サイトのデータサーバから返信があった後、全てのプラントデータを組み合わせて統合された形でクライアント端末に返信する。クライアント端末は統合サーバから返信されたプラントデータをユーザに提供する。
【００１３】
このように、本発明によれば、統合サーバがクライアント端末とサイトのデータサーバの中継役を行うため、クライアント端末において、該当するサーバへの問い合わせの振り分け等の処理が不必要なため、クライアント端末のリソースを軽減することが可能となる。
【００１４】
請求項２に記載の発明は、請求項１に記載のデータ処理システムにおいて、前記データサーバに備えられたデータベースが、定周期のプラントデータを格納した第１のデータベース、あるいは非定周期のプラントデータを格納した第２のデータベースの少なくともいずれかであることを特徴とする。
上記のような構成を有する請求項２の発明によれば、ユーザの要求に従って、複数サイトの定周期のプラントデータのみを対象とした統合データ、非定周期のプラントデータのみを対象とした統合データ、あるいは両者を対象とした統合データのいずれをも得ることができる。
【００１５】
請求項３に記載の発明は、請求項１又は請求項２に記載のデータ処理システムにおいて、前記データ統合形式が、帳表形式、時間と値の相関関係グラフ形式、値と値の相関関係グラフ形式、系統図の状態値表示形式のいずれかであることを特徴とする。
上記のような構成を有する請求項３の発明によれば、ユーザは、所望の統合形式で統合された複数サイトのデータを得ることができる。
【００１６】
また、データ統合形式が、帳表形式の場合には、ユーザは各サイトのプラントデータがすべて届けられるのを待つことなく、必要な時にタイムリーにデータの集計・解析をし、まとめて帳表に出力することができるため、データ解析、報告書作成等の日常業務の効率化をはかることが可能となる。
【００１７】
また、データ統合形式が、時間と値の相関関係グラフ形式の場合には、ユーザがクライアント端末から複数サイトのプラントデータの取り出し要求を行った結果を、任意に指定した期間及びポイントに基づき、時間と値の相関関係を解析するためのＴＹグラフ形式で出力する。これにより、同一端末で複数サイトの監視を同時に行うことができるため、サイト毎の専用端末を必要とせず、複数サイト横並びでのデータの解析業務が容易になるだけではなく、ハードウェアのリソースの節約も可能となる。
【００１８】
また、データ統合形式が、値と値の相関関係グラフ形式の場合には、ユーザがクライアント端末から複数サイトのプラントデータの取り出し要求を行った結果を、任意に指定した期間及びポイントに基づき、時間と値の相関関係を解析するための散布図形式で出力する。これにより、同一端末で複数サイトの類似プラントの解析を同時に行うことができるため、サイト毎の専用端末を必要とせず、複数サイトにまたがる類似プラントの比較・解析業務が容易になるだけではなく、ハードウェアのリソースの節約も可能となる。
【００１９】
また、データ統合形式が、系統図の状態値表示形式の場合には、ユーザがクライアント端末から複数サイトのプラントデータの取り出し要求を行った結果を、任意に指定した期間及びポイントに基づき、時間と値の状態値を系統図形式で出力する。これにより、同一端末で複数サイトの代表的なプラント状態を同時に参照することができるため、サイト毎の専用端末を必要とせず、複数サイトにまたがるプラントの状態の比較業務が容易になるだけでなく、ハードウェアのリソースの節約も可能となる。
【００２０】
【発明の実施の形態】
以下には、本発明を適用した実施形態について、図面を参照して詳細に説明する。
（１）構成
図１は、本発明に係るデータ処理システムの構成を示すものである。すなわち、本実施形態においては、発電所等の複数のサイト１と、これら複数のサイトを一括管理する中央管理センター２とが、インターネット等の通信ネットワーク３を介して接続されている。
【００２１】
前記複数のサイト１には、それぞれ各サイトに設置されたプラントの運転状態に関するデータを長期間蓄積しているデータサーバ１０が設けられている。そして、このデータサーバ１０には、データベースとして、定周期プラントデータを記録した第１のデータベース１１と、非定周期プラントデータを記録した第２のデータベース１２と、これらのデータベースからデータを検索するデータ検索部１３と、検索したデータを前記ネットワーク３を介して、後述する統合サーバ２０とやり取りする送受信部１４が設けられている。
【００２２】
ここで、定周期プラントデータとは、プラントの運転を制御する制御用計算機あるいはその他のデータ収集装置から定期的に送信される、あるいは業務端末からマニュアル入力で入力されるプラントの運転状態に関するデータをいい、第１のデータベース１１に履歴データとして連続的に蓄積されている。一方、非定周期プラントデータとは、プラントのイベント時に発生する解析データ、事故データ等の非定期のデータをいい、第２のデータベース１２に非連続的に蓄積されている。
【００２３】
一方、複数のサイト１を一括管理する中央管理センター２には、統合サーバ２０及びクライアント端末３０が設けられている。この統合サーバ２０には、各サイト１から送信されたデータを収集するデータ収集処理部２１と、収集されたデータを所定の形式に統合処理するデータ統合処理部２２と、所望のデータを前記ネットワーク３を介して、各サイト１とやり取りする送受信部２３とが設けられている。
【００２４】
また、クライアント端末３０には、キーボードやマウス等の入力部３１と、検索対象とするサイト、検索対象データを格納したデータベース、及び収集したデータの統合形式等を選択する選択部３２と、ディスプレイ等の表示部３３と、所望の統合データの形式等を前記ネットワーク３を介して、統合サーバ２０とやり取りする送受信部３４が設けられている。
【００２５】
なお、図中では、簡略・明瞭化の観点から、データサーバ１０、統合サーバ２０、クライアント端末３０について、本発明に係る特徴的な手段や機能部のみを示しているが、実際には、他にも多様な手段や機能部、周辺装置等を有することは言うまでもない。
【００２６】
（２）データ統合形式
ここで、クライアント端末３０の選択部３２で選択され、統合サーバ２０のデータ統合処理部２２で処理されるデータの統合形式について図２〜図５を参照して説明する。例えば、図２は、クライアント端末の帳表フォーマット上に、複数サイトのデータ検索結果を帳表形式で横並び表示したものであり、図３は、時間と値の相関関係である統合型ＴＹグラフ表示形式で重ね合わせてグラフ表示したものである。このグラフ表示方法には、現在値表示と過去値表示の２種類存在し、現在値表示の場合は、ある周期でグラフを表示更新し、過去値表示の場合は、指定した過去のある期間内のデータをグラフ表示する。
【００２７】
また、図４は、値と値の相関関係である統合型ＸＹグラフ表示形式で重ね合わせてグラフ表示したものである。このグラフ表示方法は、指定した過去のある期間内のデータについて行う。さらに、図５は、時間と値の状態値である統合型系統図表示形式で表示したものである。
【００２８】
（３）作用
続いて、本発明の作用を図６に示したフローチャートに基づいて説明する。
すなわち、中央管理センターの技術者（請求項のユーザに対応）は、プラントデータの検索表示要求を行うに当たり、クライアント端末３０の入力部３１から、データを収集したいサイト名、所望のデータ（例えば、定周期プラントデータ）を格納したデータベース、データの統合形式（例えば、帳表形式）等を選択した上で、通信ネットワーク３を介して、統合サーバ２０にデータ検索要求を送信する（ステップ６０１）。
【００２９】
クライアント端末３０から送信されたデータ検索要求は、統合サーバ２０の送受信部２３で受信され（ステップ６０２）、要求されたプラントデータが蓄積されている検索対象サイトを選択し（ステップ６０３）、通信ネットワーク３を介して、該当サイトのデータサーバ１０に順次データ検索要求を送信する（ステップ６０４）。
【００３０】
統合サーバ２０から送信されたデータ検索要求は、検索対象サイトのデータサーバ１０の送受信部１４で受信され（ステップ６０５）、その要求に基づいて、検索するデータベースを選択し（ステップ６０６）、そのデータベースから該当するプラントデータを検索する（ステップ６０７）。そして、この検索によって得られた検索結果データを、通信ネットワーク３を介して、統合サーバ２０に送信する（ステップ６０８）。
【００３１】
データサーバ１０から送信された検索結果データは、統合サーバ２０の送受信部２３で受信され（ステップ６０９）、データ収集処理部２１に一次的に記録される。そして、データ検索要求を行ったすべてのサイトのデータサーバ１０からの検索結果データを受信したか否かを判断し（ステップ６１０）、受信が完了していないと判断された場合には、ステップ６０３に戻り、次の検索結果データを要求するため、再び検索対象サイトを選択し、ステップ６０３〜ステップ６１０の処理を繰り返す。
【００３２】
一方、すべてのサイトの検索結果データの受信が完了している場合には、データ統合処理部２２によって、所望の統合形式に従ってデータの統合処理が行われる（ステップ６１１）。そして、この統合データを、通信ネットワーク３を介して、データ検索要求されたクライアント端末３０に送信する（ステップ６１２）。
統合サーバ２０から送信された統合データ（検索結果データ）は、クライアント端末３０の送受信部３４で受信され（ステップ６１３）、ディスプレイ、プリンタ等を用いて表示される（ステップ６１４）。
【００３３】
（４）効果
このように、本実施形態によれば、各サイト毎に設けられ、そのサイトのプラントデータを蓄積したデータサーバを、通信ネットワークを介して中央管理センターの統合サーバに接続し、この統合サーバ経由で中央管理センターの技術者が各サイトのプラントデータを参照することが可能となるので、中央管理センターの技術者によるプラントデータの解析等をタイムリーに行うことができる。それと共に、各サイトの技術者は、データの採取、郵送の労力等の面で負担の軽減を図ることができる。
【００３４】
また、中央管理センターの技術者が、複数のサイトのデータサーバに蓄積されている定周期プラントデータや非定周期プラントデータの検索表示要求を行う場合に、クライアント端末からの一度の要求だけで容易に検索結果データを得ることができる。特に、本実施形態においては、統合サーバがクライアント端末と複数のサイトのデータサーバの中継役となるため、クライアント端末における処理（例えば、該当するサーバへの問い合わせの振り分け等の処理）が簡素化できるので、クライアント端末のリソースを軽減することができ、安価であるだけでなく、処理速度の向上も見込むことができる。
【００３５】
また、複数サイトのプラントデータを同時に集計・解析して出力することができるため、データの並び替え等の単純作業から開放され、プラント情報の比較・解析、報告書作成等の日常業務の効率化を図ることが可能となる。さらに、同一端末で複数サイトの監視を同時に行うことができるため、サイト毎の専用端末を必要とせず、ハードウェアのリソースの節約も可能となる。
【００３６】
また、検索要求されたデータが、プラントのイベント時に発生する解析データ、事故データ等の非定周期プラントデータである場合には、複数のサイトのデータサーバに蓄積されている非定周期プラントデータを同時に参照することができるため、同等のプラントの解析、事故情報等の比較を容易に行うことができる。
【００３７】
また、検索要求されたデータが、定周期のプラントデータと非定周期のプラントデータの両方である場合には、複数のサイトのデータサーバに蓄積されているプラントのイベント時に発生する解析データ、事故データ等の非定周期プラントデータを定周期のプラントデータと同時に参照することができるため、イベント発生時点及び発生前後のプラント状態を容易に把握することができる。
【００３８】
（５）他の実施形態
本発明は、上述した実施形態に限定されるものではなく、クライアント端末の選択部で選択することができる項目は、上記の項目に限定されるものではない。また、統合サーバのデータ統合処理部で実行される統合形式も、上記の例に限定されるものではない。
【００３９】
【発明の効果】
以上説明したように、本発明によれば、複数のサイトのそれぞれで収集したプラントデータを、遠隔地から複数サイト同時に参照可能とし、複数サイトのデータの集計、解析、比較等のデータ処理の効率化を可能としたデータ処理システム、方法及びデータ処理用コンピュータプログラムを提供することができる。
【図面の簡単な説明】
【図１】本発明のデータ処理システムの構成を示す機能ブロック図
【図２】統合データの表示例
【図３】統合データの表示例
【図４】統合データの表示例
【図５】統合データの表示例
【図６】本発明のデータ処理システムの作用を示すフローチャート
【符号の説明】
１…サイト
２…中央管理センター
３…ネットワーク
１０…データサーバ
１１…第１のデータベース
１２…第２のデータベース
１３…データ検索部
１４…送受信部
２０…統合サーバ
２１…データ収集処理部
２２…データ統合処理部
２３…送受信部
３０…クライアント端末
３１…入力部
３２…選択部
３３…表示部
３４…送受信部
【図１】
2004102448.tif 000003
【図２】
2004102448.tif 000004
【図３】
2004102448.tif 000005
【図４】
2004102448.tif 000006
【図５】
2004102448.tif 000007
【図６】
2004102448.tif 000008